(57)【要約】  カテーテル型イオントフォレーシス装置（１０）は、内視鏡装置（２０）のフレキシブルケーブル（１８）の先端に小さな作用側電極構造体（１２）と非作用側電極構造体（１４）を備えて構成され、これらの先端の第１イオン交換膜（４４）及び第４イオン交換膜（５４）を、例えば、消化器の癌部位に密着させてイオントフォレーシスにより、ピンポイントで薬液を浸透させる構成となっていて、作用側電極構造体（１２）と非作用側電極構造体（１４）はロッド状部材（１６）の先端に取付けられていて、このロッド状部材（１６）は、フレキシブルケーブル（１８）の先端に着脱自在とされていて、一体で交換可能である。【特許請求の範囲】
【請求項１】
イオントフォレーシスによりイオン性薬剤を投与するために使用される作用側電極構造体及び非作用側電極構造体と、これらの作用側電極構造体及び非作用側電極構造体に異なる極性で接続される直流電源と、を有するイオントフォレーシス装置であって、
前記作用側電極構造体及び前記非作用側電極構造体を支持するロッド状部材と、このロッド状部材を着脱自在に支持する内視鏡装置とを有してなり、前記作用側電極構造体及び非作用側電極構造体は、前記ロッド状部材の先端に配置され、且つ、相互の間には、一定距離の隙間が設けられていて、前記ロッド状部材は、前記内視鏡装置におけるフレキシブルチューブにより湾曲可能に支持されるフレキシブルケーブルの先端に着脱自在に支持されていることを特徴とするカテーテル型イオントフォレーシス装置。
【請求項２】
請求項１において、
前記イオン性薬剤は、光を吸収して作動する光増感反応物質であり、前記内視鏡装置は、前記フレキシブルチューブを介して、前記作用側電極構造体の先端近傍から光を照射する照射光学系を有することを特徴とするカテーテル型イオントフォレーシス装置。
【請求項３】
請求項２において、
前記内視鏡装置は、生体内を光照射する照射光用光ファイバーと、その反射光を外部に導く反射光用光ファイバーとを含む内視鏡光学系を有し、前記照射光学系は、前記照射光用ファイバーであることを特徴とするカテーテル型イオントフォレーシス装置。
【請求項４】
請求項１乃至３のいずれかにおいて、
前記フレキシブルケーブル内には前記直流電源からの配線が収容されていて、この配線を介して直流電源の異なる極性に接続される電源側作用電極端子及び電源側非作用電極端子を有し、
前記ロッド状部材は、前記フレキシブルケーブルへの取脱側基端に、前記電源側作用電極端子及び電源側非作用電極端子に対して、着脱時に接続又は離間する作用電極側接点及び非作用電極側接点を有し、
これら作用電極側接点及び非作用電極側接点は、前記作用側電極構造体及び非作用側電極構造体における作用側電極及び非作用側電極に接続されていることを特徴とするカテーテル型イオントフォレーシス装置。
【請求項５】
請求項４において、
前記内視鏡装置には制御装置が設けられ、この制御装置は、前記電源側作用電極端子及び電源側非作用電極端子と前記直流電源との間の電源回路に配置され、通電時の電流値及び投与時間である通電時間のうち少なくとも電流値を調節するようにされたことを特徴とするカテーテル型イオントフォレーシス装置。
【請求項６】
請求項１乃至５のいずれかにおいて、
前記作用側電極構造体及び非作用側電極構造体は、それぞれの中心軸線が平行になるように配置されていることを特徴とするカテーテル型イオントフォレーシス装置。
【請求項７】
請求項１乃至５のいずれかにおいて、
前記作用側電極構造体及び非作用側電極構造体は、それぞれの中心軸線が先端方向に拡開するように配置されていることを特徴とするカテーテル型イオントフォレーシス装置。
【請求項８】
請求項１乃至５のいずれかにおいて、
前記作用側電極構造体及び非作用側電極構造体は、それぞれの中心軸線が先端方向で交差するように配置されていることを特徴とするカテーテル型イオントフォレーシス装置。
【請求項９】
請求項１乃至８のいずれかにおいて、
前記作用側電極構造体は、前記直流電源における、前記イオン性薬剤の帯電イオンと同種の極性に接続された前記作用側電極と、
この作用側電極の前面に配置され、電解液を保持する電解液保持部と、
この電解液保持部の前面に配置され、前記イオン性薬剤の帯電イオンと反対のイオンを選択する第２イオン交換膜と、
この第２イオン交換膜の前面に配置され、前記イオン性薬剤を保持する薬液保持部と、
この薬液保持部の前面に配置され、前記イオン性薬剤の帯電イオンと同種のイオンを選択する前記イオン交換膜である第１イオン交換膜と、
を有してなり、
前記非作用側電極構造体は、
前記直流電源における、前記イオン性薬剤の帯電イオンと反対の極性に接続された前記非作用側電極と、
この非作用側電極の前面に配置され、第２電解液を保持する第２電解液保持部と、
この第２電解液保持部の前面に配置され、前記イオン性薬剤の帯電イオンと同種のイオンを選択する第３イオン交換膜と、
この第３イオン交換膜の前面に配置され、第３電解液を保持する第３電解液保持部と、
この第３電解液保持部の前面に配置され、前記イオン性薬剤の帯電イオンと反対のイオンを選択する前記イオン交換膜である第４イオン交換膜と、
を有してなることを特徴とするカテーテル型イオントフォレーシス装置。
【発明の詳細な説明】
【技術分野】
【０００１】
本発明は、薬剤イオンを生体に投与するためのイオントフォレーシス装置に関する。
【背景技術】
【０００２】
上記のようなイオントフォレース装置は、皮膚や粘膜に薬液を浸透させるものであって、従来、小さい場合でも直径が２０ｍｍ程度の比較的広い面積の皮膚や粘膜を対象としている。【０００３】
一方、内視鏡下外科手術の対象となる領域、鼻腔内粘膜、口腔内粘膜、食道、胃、小腸、大腸、肛門等の領域の一部や、肺がん治療における腹腔鏡手術の際の患部、開腹手術等において露出している生体の一部（ピンポイント）に、薬剤を直接注入することが治療効果を増大させる場合がある。【０００４】
このような場合、注射するよりも、イオントフォレーシスによって薬剤を浸透させることが、非侵襲的であり好ましい。【０００５】
又、ＰＤＴ（フォトダイナミックセラピー）に際して、光増感反応物質を投与してから、光を照射し、抗癌作用を期待するが、光増感反応物質が体中に廻るため、患者は太陽光が照射されないようにする必要があり、又、患部以外に廻って副作用をもたらすことがある。従って、ＰＤＴでは、患部のみへの光増感反応物質の投与が望まれていた。
【発明の開示】
【０００６】
この発明は、内視鏡や腹腔鏡を用いる治療、処置の場合、例えば癌部位等の生体の一部に薬液を浸透させる際に用いて好適なイオントフォレーシス装置を提供することを解決課題とする。
【０００７】
以下の各種実施例により上記課題を解決することができる。
【０００８】
（１）イオントフォレーシスによりイオン性薬剤を投与するために使用される作用側電極構造体及び非作用側電極構造体と、これらの作用側電極構造体及び非作用側電極構造体に異なる極性で接続される直流電源と、を有するイオントフォレーシス装置であって、前記作用側電極構造体及び前記非作用側電極構造体を支持するロッド状部材と、このロッド状部材を着脱自在に支持する内視鏡装置とを有してなり、前記作用側電極構造体及び非作用側電極構造体は、前記ロッド状部材の先端に配置され、且つ、相互の間には、一定距離の隙間が設けられていて、前記ロッド状部材は、前記内視鏡装置におけるフレキシブルチューブにより湾曲可能に支持されるフレキシブルケーブルの先端に着脱自在に支持されていることを特徴とするカテーテル型イオントフォレーシス装置。
【０００９】
（２）前記イオン性薬剤は、光を吸収して作動する光増感反応物質であり、前記内視鏡装置は、前記フレキシブルチューブを介して、前記作用側電極構造体の先端近傍から光を照射する照射光学系を有することを特徴とする（１）に記載のカテーテル型イオントフォレーシス装置。
【００１０】
（３）前記内視鏡装置は、生体内を光照射する照射光用光ファイバーと、その反射光を外部に導く反射光用光ファイバーとを含む内視鏡光学系を有し、前記照射光学系は、前記照射光用ファイバーであることを特徴とする（２）に記載のカテーテル型イオントフォレーシス装置。
【００１１】
（４）前記フレキシブルケーブル内には前記直流電源からの配線が収容されていて、この配線を介して直流電源の異なる極性に接続される電源側作用電極端子及び電源側非作用電極端子を有し、前記ロッド状部材は、前記フレキシブルケーブルへの取脱側基端に、前記電源側作用電極端子及び電源側非作用電極端子に対して、着脱時に接続又は離間する作用電極側接点及び非作用電極側接点を有し、これら作用電極側接点及び非作用電極側接点は、前記作用側電極構造体及び非作用側電極構造体における作用側電極及び非作用側電極に接続されていることを特徴とする（１）乃至（３）のいずれかに記載のカテーテル型イオントフォレーシス装置。
【００１２】
（５）前記内視鏡装置には制御装置が設けられ、この制御装置は、前記電源側作用側電極端子及び電源側非作用側電極端子と前記直流電源との間の給電回路に配置され、通電時の電流値及び投与時間である通電時間のうち少なくとも電流値を調節するようにされたことを特徴とする（４）に記載のカテーテル型イオントフォレーシス装置。
【００１３】
（６）前記作用側電極構造体及び非作用側電極構造体は、それぞれの中心軸線が平行になるように配置されていることを特徴とする（１）乃至（５）のいずれかに記載のカテーテル型イオントフォレーシス装置。
【００１４】
（７）前記作用側電極構造体及び非作用側電極構造体は、それぞれの中心軸線が先端方向に拡開するように配置されていることを特徴とする（１）乃至（５）のいずれかに記載のカテーテル型イオントフォレーシス装置。
【００１５】
（８）前記作用側電極構造体及び非作用側電極構造体は、それぞれの中心軸線が先端方向で交差するように配置されていることを特徴とする（１）乃至（５）のいずれかに記載のカテーテル型イオントフォレーシス装置。
【００１６】
（９）前記作用側電極構造体は、前記直流電源における、前記イオン性薬剤の帯電イオンと同種の極性に接続された前記作用側電極と、この作用側電極の前面に配置され、電解液を保持する電解液保持部と、この電解液保持部の前面に配置され、前記イオン性薬剤の帯電イオンと反対のイオンを選択する第２イオン交換膜と、この第２イオン交換膜の前面に配置され、前記イオン性薬剤を保持する薬液保持部と、この薬液保持部の前面に配置され、前記イオン性薬剤の帯電イオンと同種のイオンを選択する前記イオン交換膜である第１イオン交換膜と、を有してなり、前記非作用側電極構造体は、前記直流電源における、前記イオン性薬剤の帯電イオンと反対の極性に接続された前記非作用側電極と、この非作用側電極の前面に配置され、第２電解液を保持する第２電解液保持部と、この第２電解液保持部の前面に配置され、前記イオン性薬剤の帯電イオンと同種のイオンを選択する第３イオン交換膜と、この第３イオン交換膜の前面に配置され、第３電解液を保持する第３電解液保持部と、この第３電解液保持部の前面に配置され、前記イオン性薬剤の帯電イオンと反対のイオンを選択する前記イオン交換膜である第４イオン交換膜と、を有してなることを特徴とする（１）乃至（８）のいずれかに記載のカテーテル型イオントフォレーシス装置。
【図面の簡単な説明】
【００１７】
【図１】本発明の実施の形態の例に係るイオントフォレーシス装置を示す平面図
【図２】作用側電極構造体及び非作用側電極構造体の要部を拡大して示す断面図
【図３】作用側電極構造体及び非作用側電極構造体の他の配置例を示す平面図
【図４】作用側電極構造体及び非作用側電極構造体の更に他の配置例を示す平面図
【発明を実施するための最良の形態】
【００１８】
以下本発明を実施するための最良の形態について図面を参照して詳細に説明する。【００１９】
図１、図２に示されるように、この最良の実施形態に係るカテーテル型イオントフォレーシス装置１０は、イオン性薬剤を投与するために使用される作用側電極構造体１２及び非作用側電極構造体１４と、これらを一体的に支持するロッド状部材１６と、前記作用側電極構造体１２及び非作用側電極構造体１４に異なる極性で接続される直流電源３０と、を有して構成されている。【００２０】
前記作用側電極構造体１２及び非作用側電極構造体１４は、ロッド状部材１６の先端に取り付けられていて、このロッド状部材１６は、フレキシブルケーブル１８の先端に着脱自在に支持され、これにより、作用側電極構造体１２、非作用側電極構造体１４はロッド状部材１６と一体として交換可能とされている。【００２１】
前記フレキシブルケーブル１８は、内視鏡装置２０のフレキシブルチューブ２２により湾曲自在に支持されていて、このフレキシブルチューブ２２から突出した先端に、前記ロッド状部材１６が着脱自在に取付けられている。【００２２】
前記内視鏡装置２０は、前記フレキシブルチューブ２２内を通って、照射光用光ファイバー２４と反射光用光ファイバー２６とを含む内視鏡光学系を有している。前記照射光用光ファイバー２４は、先端から照射光を出射し、前記反射光用光ファイバー２６は、照射光用光ファイバー２４から出射した照射光が、生体内の患部等で生じた反射光を捕捉して外部に導くようにされている。前記照射光用光ファイバー２４には、後述のレーザ光源５８から白色光が入射するようにされている。【００２３】
前記作用電極構造体１２及び非作用電極構造体１４は、電源回路（図示省略）を介して、前記直流電源３０の異なる極性へ接続されている。【００２４】
前記ロッド状部材１６のフレキシブルケーブル１８側の端部には、作用側電極構造体１２に接続される作用側電極端子３２と非作用側電極構造体１４に接続される非作用側電極端子３４とが設けられている。【００２５】
これら作用側電極端子３２と非作用側電極端子３４は、ロッド状部材１６をフレキシブルケーブル１８に取付けた時に、該フレキシブルケーブル１８側の電源側作用電極端子３３及び電源側非作用電極端子３５にそれぞれ接続するようにされている。【００２６】
前記電源側作用電極端子３３及び電源側非作用電極端子３５は、前記電源回路２８を介して、内視鏡装置２０の更に外部に設けられている前記直流電源３０に接続されている。【００２７】
前記ロッド状部材１６は、前記フレキシブルケーブル１８と同一直径の円柱状部材であって、フレキシブルケーブル１８の先端の雌ねじ部１８Ａに対して、雄ねじ部１６Ａによりねじ込んで取付け、且つ反対方向に回転させることによって取り外しできるようにされている。【００２８】
前記作用側電極構造体１２と非作用側電極構造体１４は、図２に拡大して示されるように、それぞれの中心軸線が平行となるように配置されている。又、前記作用側電極構造体１２は、ロッド状部材１６側から作用側電極３６と、電解液保持部３８と、第２イオン交換膜４０と、薬液保持部４２と、第１イオン交換膜４４と、をこの順で積層して構成されていて、直径が２〜６ｍｍ程度の円板形状に形成されている。【００２９】
前記作用側電極３６は、ベースシート１３の一方の面に塗布された、例えばカーボンペースト等の非金属導電フィラーが配合された導電塗料から構成するとよい。この作用側電極３６を銅板や金属薄膜によって構成することもできるが、ここから溶出した金属が薬剤投与に際して生体に移行することも考えられるので、非金属性が好ましい。【００３０】
前記電解液保持部３８は、例えば、前記作用側電極３６に塗布された電解質塗料から構成される。この電解質塗料は電解質を含有する塗料であり、水の電解反応（プラス極での酸化及びマイナス極での還元）よりも酸化又は還元され易い電解質、例えばアスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。【００３１】
電解質塗料には、塗料としての塗布性や製膜性を向上させるために、ポリビニルアルコール、ポリアクリル酸、ポリアクリルアミド、ポリエチレングリコール等の親水性高分子が配合され、又、電解質塗料の粘度を調整するための水、エタノール、プロパノール等の溶媒が適当量配合される。更に、増粘剤、チキソ剤、消泡剤、顔料、香料、着色料等の適宜の追加的な成分を配合することもできる。【００３２】
前記第２イオン交換膜４０は、前記電解液保持部３８に第２のイオン交換塗料を塗布することによって形成される。【００３３】
この第２のイオン交換塗料は、後述の、薬液保持部４２中の薬物イオンと反対導電型のイオンを対イオンとするイオン交換基が導入されたイオン交換樹脂を含有する塗料であり、薬液保持部４２における薬効成分がプラスの薬物イオンに解離する薬剤が使用される場合には陰イオン交換樹脂が配合され、逆に、薬効成分がマイナスの薬物イオンに解離する薬剤が使用される場合には陽イオン交換樹脂が配合される。【００３４】
前記薬液保持部４２は、前記第２イオン交換膜４０に塗布された薬剤塗料からなり、水等の溶媒に溶解する等により薬効成分がプラス又はマイナスのイオン（薬物イオン）に解離する薬剤（薬剤の前駆体を含む）を含有する塗料であり、薬効成分がプラスのイオンに解離する薬剤としては、麻酔薬である塩酸リドカイン、麻酔薬である塩酸モルヒネ等を例示することができ、薬効成分がマイナスのイオンに解離する薬剤としては、ビタミン剤であるアスコルビン酸等を例示することができる。【００３５】
前記第１イオン交換膜４４は、薬液保持部４２に塗布された第１のイオン交換塗料から形成されている。この第１のイオン交換塗料は、薬液保持部４２中の薬物イオンと同一導電型のイオンを対イオンとするイオン交換基が導入されたイオン交換樹脂を含有する塗料であり、薬液保持部４２の薬効成分が、プラス又はマイナスの薬物イオンに解離する薬剤が使用される場合には、陰イオン交換樹脂又は陽イオン交換樹脂が配合される。【００３６】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。【００３７】
又、上記陰イオン交換樹脂としては、前記陽イオン交換樹脂と同様の３次元的な網目構造を持つ高分子に、１〜３級アミノ基、４級アンモニウム基、ピリジル基、イミダゾール基、４級ピリジニウム基、４級イミダゾリウム基等の陰イオン交換基（対イオンが陰イオンである交換基）が導入されたイオン交換樹脂が制限無く使用できる。【００３８】
前記非作用側電極構造体１４は、非作用側ベースシート１５の一方の面側に設けられた非作用側電極４６と、第２電解液保持部４８と、第３イオン交換膜５０と、第３電解液保持部５２と、第４イオン交換膜５４とをこの順で積層して構成され、前記作用側電極構造体１２と同様に円板形状とされている。【００３９】
前記非作用側電極４６は、前記作用側電極構造体１２における作用側電極３６と同様の構成であり、又、前記第２電解液保持部４８及び第３電解液保持部５２の構成及び成分も、前記電解液保持部３８と同様である。【００４０】
更に、前記第３イオン交換膜５０は、前記第２電解液保持部４８上に塗布されたイオン交換塗料から形成されている。このイオン交換塗料は、前記第１イオン交換膜４４を形成している第１のイオン交換塗料と同様であり、第１イオン交換膜４４と同様の、イオン交換膜として機能する。【００４１】
前記第４イオン交換膜５４は、前記第３電解液保持部５２上に塗布された、上記と同様の第２のイオン交換塗料から形成されている。この第４イオン交換膜５４は、第２イオン交換膜４０と同様のイオン交換膜として機能する。【００４２】
前記ベースシート１３の他方の面には、作用側電極端子板３２Ａが設けられ、この作用側電極端子板３２Ａは、前記作用側電極構造体１２の作用側電極３６に対して、ベースシート１３に設けたスルーホールを介して導通されると共に、前記作用側電極端子３２に接続されている。【００４３】
同様に、前記非作用側ベースシート１５の他方の面には、非作用側電極端子板３４Ａが設けられていて、この非作用側電極端子板３４Ａは、非作用側電極構造体１４の非作用側電極４６に対して、非作用側ベースシート１５に形成されたスルーホールを介して導通されると共に、前記非作用側電極端子３４に接続されている。【００４４】
前記作用側電極構造体１２及び非作用側電極構造体１４は、共に、その先端の前記第１交換膜４４及び第４イオン交換膜５４がそれぞれ露出されて、生体側に接触できるようにされている。【００４５】
前記直流電源３０は、例えばＡＣ／ＤＣコンバータからなり、この直流電源３０と前記電源側作用電極端子３３及び電源側非作用電極端子３５との間の前記電源回路２８には、通電時の電流値及び投与時間である通電時間のうち、少なくとも電流値を調整する制御装置５６が設けられ、一定範囲で電流値及び投与時間を調節できるようにされている。【００４６】
ここで、前記作用側電極構造体１２及び非作用側電極構造体１４のそれぞれの先端の第１イオン交換膜４４と第４イオン交換膜５４とは、通電時にこれらの間に直接電流が流れないようにするために、一定の隙間Ｓが設けられている。この隙間Ｓは、前記第１イオン交換膜４４及び第４イオン交換膜５４の直径とほぼ等しい大きさとされている。【００４７】
治療に際しては、前記照射光用光ファイバー２４から白色光を照射し、反射光（像）を反射光用光ファイバー２６により外部に導き、これを観察しつつ、患部を特定して、ここに作用側電極構造体１２を押しつければよい。イオントフォレーシス中は、照明しない。【００４８】
なお、上記実施の形態の例において、作用側電極構造体１２及び非作用側電極構造体１４の中心軸線が平行となるように取り付けられているが、本発明はこれに限定されるものでなく、例えば図３に示されるように作用側電極構造体１２と非作用側電極構造体１４の中心軸線が先端方向に向かって６０°に交差するように配置してもよく、又、図４に示されるように、中心軸線が拡開するように構成してもよい。【００４９】
これらの実施の形態の例では、内視鏡装置２０におけるフレキシブルケーブル１８の先端に、作用側電極構造体１２と非作用側電極構造体１４が隙間Ｓをもって配置されているので、例えば消化器の癌部位に薬液を浸透させる場合には、医師が内視鏡装置２０をもって、フレキシブルケーブル１８の先端の作用側電極構造体１２の先端の第１イオン交換膜４４を癌部位密着させ、同時に非作用側電極構造体１４の先端の第４イオン交換膜５４も近傍の粘膜等に密着させて通電すれば、目的の個所に容易に目的の薬液をピンポイントで浸透させることができる。【００５０】
又、作用側電極構造体１２と非作用側電極構造体１４とをロッド状部材１６と共に、フレキシブルケーブル１８から取脱しできるので、容易に薬液の交換をすることができる。【００５１】
上記カテーテル型イオントフォレース装置１０は、例えば癌細胞に光増感反応物質を塗布した後に光を当ててこれを吸収させる抗癌療法であるＰＤＴにより体内の治療、例えば、表在型食道癌、表在型胃癌、子宮頸癌、等を治療する際に用いることができる。又、ＰＤＴ以外でも体内の治療、たとえば、胃潰瘍、大腸炎、等の治療に用いることができる。【００５２】
ＰＤＴの場合、前記作用側電極構造体１２における薬液保持部４２には、光増感反応物質を保持し、前記照射光用光ファイバー２４からは、光増感反応物質に吸収されるべき波長の光、例えば紫外線を、レーザ光源５８から、制御装置５６で制御しつつ供給し、患部を照射できるように構成する。【００５３】
なお、ＰＤＴ用に光増感反応物質が感度を持った波長の光を用いることになるが、この場合、当該波長の光を出射する光源を別途設けて、照射光用光ファイバー２４への入力切替手段（図示省略）により、白色光か当該波長の光かを選択的に切り替えるものものとする。又、新たな光源を用いることなく、白色光から当該波長の光のみを透過させるフィルターを用いてもよい。
【産業上の利用の可能性】
【００５４】
この発明において、カテーテル型イオントフォレーシス装置における作用側電極構造体及び非作用側電極構造体は、内視鏡装置におけるフレキシブルケーブルの先端に設けられていて、例えば消化器における癌部位等のピンポイントにイオントフォレーシスによって抗癌剤を浸透させて、副作用が少なく、効率的に治療することができる。又、ＰＤＴの直後に、作用側電極構造体及び非作用側電極構造体を交換して抗癌剤を投与すると治療及び再発防止を同時に行なうことができる。
【図１】
2007032423.tif 000002
【図２】
2007032423.tif 000003
【図３】
2007032423.tif 000004
【図４】
2007032423.tif 000005
【国際調査報告】
2007032423.tif 000006
2007032423.tif 000007
2007032423.tif 000008
2007032423.tif 000009